(57)【要約】      （修正有）【課題】小さく単純な構造で、表示角度が変えられる携帯端末用スタンドを提供する。【解決手段】斜めに載置される携帯端末２の、前面載置側を支持する前支持部１１と、携帯端末の後面中央を一端が支え、他端が載置面を支えて支持する後支持部１２と、前支持部の左右端部に連通し、この連通した両端部が、後支持部の上下端部に係止する紐１３とを有する。【選択図】図２
0003179241.tif 000002
【実用新案登録請求の範囲】
【請求項１】
斜めに載置される携帯端末の前面下側を、横置き状態で、支持する前支持部と、前記携帯端末の後面中央を、縦置き状態で、一端が支え他端が載置面を支えて支持する後支持部と、前記前支持部の横置き状態の左右端部に連通し、この連通した両端部が、前記後支持部の縦置き状態の上下端部に係止する紐と、を有することを特徴とする携帯端末用スタンド。
【請求項２】
前記の紐は、前記後支持部の縦置き状態の上または下端部に貫通した後に係止し、この係止部分にストラップとしても使用できる止め具が設けられたことを特徴とする請求項１に記載の携帯端末用スタンド。
【請求項３】
前記の紐は、前記後支持部の縦置き状態の上または下端部に貫通した後に係止し、この係止部分に、移動できるストッパーが設けられたことを特徴とする請求項１に記載の携帯端末用スタンド。
【考案の詳細な説明】
【技術分野】
【０００１】  この考案は、携帯電話機、スマートフォン、オーディオプレーヤー、ビデオプレーヤー等の携帯端末を立て掛けて支持することができる携帯端末用スタンドに関する。
【背景技術】
【０００２】  従来の携帯電話機、スマートフォン、オーディオプレーヤー、ビデオプレーヤー等の携帯端末を、机等に斜めに載置するための小型の携行スタンドは、後面および底面を支持するものである。
【先行技術文献】
【特許文献】
【０００３】
【特許文献１】特開２００８−３０６２７６号公報
【特許文献２】実用新案登録第３１４１８９７号
【考案の概要】
【考案が解決しようとする課題】
【０００４】  しかしながら、以上の技術によれば、スタンドの構造が複雑であったり、携帯端末の表示角度を変えられなかったりして不便であった。
そこでこの考案は、小さく単純な構造で、表示角度の変えられる携帯端末用スタンドを提供することを課題とする。
【課題を解決するための手段】
【０００５】  以上の課題を解決するために、第一考案は、斜めに載置される携帯端末の前面下側を、横置き状態で、支持する前支持部と、前記携帯端末の後面中央を、縦置き状態で、一端が支え他端が載置面を支えて支持する後支持部と、前記前支持部の横置き状態の左右端部に連通し、この連通した両端部が、前記後支持部の縦置き状態の上下端部に係止する紐と、を有することを特徴とする携帯端末用スタンドである。【０００６】  また第二考案は、前記の紐は、前記後支持部の縦置き状態の上または下端部に貫通した後に係止し、この係止部分にストラップとしても使用できる止め具が設けられたことを特徴とする携帯端末用スタンドである。【０００７】  また第三考案は、前記後支持部の縦置き状態の上または下端部に貫通した後に係止し、この係止部分に、移動できるストッパーが設けられたことを特徴とする携帯端末用スタンドである。
【考案の効果】
【０００８】  第一考案によれば、前支持部と後支持部を紐で繋いだことにより、紐の柔軟性により携帯端末の形状に倣うため、いろいろな形状の携帯端末に使用することができる。【０００９】  第二考案によれば、スタンドとして不使用時には、前支持部と後支持部とを繋ぐ紐と止め具を用いて、携帯端末ストラップとして使用できるため、ストラップの為の部品も不要になる。【００１０】  第三考案によれば、ストッパーの位置を変えることにより、前支持部と後支持部の間隔を変えられるため、載置した携帯端末の画面を見やすい角度で支持することができる。
【図面の簡単な説明】
【００１１】
【図１】この考案のストラップとして使用時の形態を示す斜視図である。
【図２】（Ａ）は、この考案のスタンドとして使用時の形態を示す斜視図、（Ｂ）は（Ａ）の側面図である。
【図３】（Ａ）は、この考案の他の実施例としての斜視図、（Ｂ）は（Ａ）をストラップとして使用時の形態を示す斜視図である。
【図４】（Ａ）は、この考案のその他の実施例としての斜視図、（Ｂ）は（Ａ）をストラップとして使用時の形態を示す斜視図である。
【考案を実施するための形態】
【００１２】  この考案のストラップとして使用時の形態を、図１に示す。
携帯端末２の前面下側を支持する前支持部１１の端部には紐１３が通る穴１６が、後面を支持する後支持部１２の端部にも紐１３が通る穴１７が、２ヶ所もしくは１ヶ所開けてある。
【００１３】  紐１３は、図１のように前支持部１１および後支持部１２に、開けられた穴１６および穴１７に連通してある。
【００１４】  紐１３の一方は携帯端末２に取り付けられるよう、ストラップとしても使用できる止め具１４が付けられている。
紐１３の止め具１４とは反対側には、紐１３の長さを調節できる、ゴム等で作られたストッパー１５が付けられている。
【００１５】「実施形態の効果」
この考案の携帯端末スタンドとして使用時の形態を、図２に示す。
前支持部１１と後支持部１２を、紐１３の長さいっぱいまで引き離し、前支持部１１を携帯端末２の前面に対して横向きに、後支持部１２を携帯端末２の背面に対して斜めに設置し使用する。
【００１６】  ストッパー１５を移動させることにより、前支持部１１と後支持部１２の間隔が狭くなり、携帯端末２を立てかける角度を変えることができる。
【００１７】  この考案のストラップとして使用時の形態を、図１に示す。
前支持部１１と後支持部１２を重ねた状態で、ストラップとしても使用できる止め具１４を引いて紐１３のたるみを取って使用する。
この実施形態によれば、携帯端末用スタンドとして不使用時はストラップとして携行することができる。
【００１８】「他の実施形態」
この考案の他の実施例を、図３および図４に示す。
図１および図２の実施形態では、前支持部１１が四角い板状であったが、図３のように前支持部１１に印刷や彫刻を施したり、図４のように前支持部１１をデザイン形状にすることで、スタンドとして使用時にはインテリアとして、ストラップとして使用時にはアクセサリーとして楽しめる形態が可能となる。
【００１９】  また図４のように後支持部１２の幅を広くすることにより、より安定した状態で携帯端末２を支持することができる。
【符号の説明】
【００２０】１    携帯端末スタンド
１１  前支持部
１２  後支持部
１３  紐
１４  止め具
１５  ストッパー
１６  紐１３を通すための穴
１７  紐１３を通すための穴
２    携帯端末
【図１】
0003179241.tif 000003
【図２】
0003179241.tif 000004
【図３】
0003179241.tif 000005
【図４】
0003179241.tif 000006
【手続補正書】
【提出日】平成24年8月3日(2012.8.3)
【手続補正１】
【補正対象書類名】実用新案登録請求の範囲
【補正対象項目名】全文
【補正方法】変更
【補正の内容】
【実用新案登録請求の範囲】
【請求項１】
斜めに載置される携帯端末の、前面載置側を支持する前支持部と、前記携帯端末の後面中央を一端が支え、他端が載置面を支えて支持する後支持部と、前記前支持部の左右端部に連通し、この連通した両端部が、前記後支持部の上下端部に係止する紐と、を有することを特徴とする携帯端末用スタンド。
【請求項２】
前記の紐は、前記前支持部および後支持部の上および下端部に貫通した後に係止し、この係止部分に、落下防止用の止め具が設けられたことを特徴とする請求項１に記載の携帯端末用スタンド。